(57)【要約】【課題】  本体装置の動作モードに合わせて、該動作モードに関する処理を示すメニューを初めに表示することで、操作性を向上したメニュー表示装置を提供する。【解決手段】  制御部２１は、ユーザによってメニューキー２５（ｃ）が押されたかを確認し、押された場合は、動作モードがカード再生モードか否かを確認する。カード再生モードであれば、ＯＳＤコントローラ２２に専用の機能メニュー５１を表示させる。通常操作モードであれば、最上位層のメインメニューを表示させる。機能メニューの次のカード再生処理のメニューはメインメニューからみれば、数層下のメニューである。ユーザにとっては、メインメニューから表示させるより、操作性が向上する。【選択図】図２
2006108931.tif 000002
【特許請求の範囲】
【請求項１】
本体装置の処理に関する項目からなる、複数階層で構成されたメニューの表示を指示するためのメニュー表示指示手段と、
表示された項目を選択するための選択指示手段と、
該メニュー表示指示手段の指示操作によってメニューを表示するための表示手段と、
前記メニュー表示指示手段あるいは前記選択指示手段による指示に基づいて、選択された項目に対応するメニューを階層毎に順次表示し、あるいは選択された項目の処理内容に従って本体装置に処理を実行させる制御手段とを有したメニュー表示装置において、
本体装置が通常動作モードとは異なる所定の動作モードで動作している場合、ユーザが前記メニュー表示指示手段によるメニュー表示指示操作を行うことによって、
前記制御手段は、所定の動作モードに関する下位層のメニューを優先的に表示し、該下位層メニューより上位層のメニューを表示するための上位層メニュー表示誘導項目を前記下位層メニューと同時に表示することを特徴とするメニュー表示装置。
【請求項２】
請求項１記載のメニュー表示装置において、
前記メニューは、選択された項目に対応する下位層のメニューを表示するための下位層メニュー誘導表示項目と、本体装置の処理内容を示す処理項目とを有することを特徴とするメニュー表示装置。
【発明の詳細な説明】
【技術分野】
【０００１】
本発明は、テレビジョン等の本体装置の動作モードに合わせて処理メニュー項目を表示するメニュー表示装置に関する。
【背景技術】
【０００２】
近年、テレビジョン装置やＡＶ機器は多機能となり、操作部に機能毎にボタンを設けることができなくなりつつある。そこで、ディスプレイに機能の処理内容を項目化したメニューを表示させ、項目を選択することで、多機能化に対応できるようにしている。（例えば、特許文献１参照）。機能数も多いため、メニューも、単純に一画面で表示できず、複数階層でメニューが構成される。また、携帯用のテレビジョン装置等のように、表示エリアが小さい場合も、メニューを複数階層化せざるをえない。
【特許文献１】特開２００１-２６８４４６５号公報
【発明の開示】
【発明が解決しようとする課題】
【０００３】
このように、メニューが階層化した場合、目的のメニューが１つあるいは２つ程度の下位層であれば、操作性はそれほど失われないが、近年の多機能化により、目的のメニューに至るまでに、５層、６層とかなり下位層まで降りて行かなければならない場合がある。そうなると、ユーザの操作量が多く、使い勝手が非常に悪くなってしまう。
【０００４】
本発明は、斯かる実情に鑑み、本体装置の動作モードに合わせて、該動作モードに関する処理を示すメニューを初めに表示することで、操作性を向上したメニュー表示装置を提供しようとするものである。
【課題を解決するための手段】
【０００５】
本発明は、本体装置の処理に関する項目からなる、複数階層で構成されたメニューの表示を指示するためのメニュー表示指示手段と、表示された項目を選択するための選択指示手段と、該メニュー表示指示手段の指示操作によってメニューを表示するための表示手段と、前記メニュー表示指示手段あるいは前記選択指示手段による指示に基づいて、選択された項目に対応するメニューを階層毎に順次表示し、あるいは選択された項目の処理内容に従って本体装置に処理を実行させる制御手段とを有したメニュー表示装置において、本体装置が通常動作モードとは異なる所定の動作モードで動作している場合、ユーザが前記メニュー表示指示手段によるメニュー表示指示操作を行うことによって、前記制御手段は、所定の動作モードに関する下位層のメニューを優先的に表示し、該下位層メニューより上位層のメニューを表示するための上位層メニュー表示誘導項目を前記下位層メニューと同時に表示することを特徴とする。
【０００６】
また本発明は、前記メニュー表示装置において、前記メニューは、選択された項目に対応する下位層のメニューを表示するための下位層メニュー誘導表示項目と、本体装置の処理内容を示す処理項目とを有することを特徴とする。
【発明の効果】
【０００７】
本発明によれば、本体装置の特定の動作モードに関するメニュー項目を下位層から選択し迅速かつ優先的に表示するので、ユーザにとって操作が簡単で容易となる、また、上位層項目表示誘導項目を設けたので、上位のメニューに切り換えることができ、通常動作モードの処理に切り換えて、本体装置に迅速に目的の処理を行わせることができる。また、下位層項目表示誘導項目も設けていると、特定の動作モードにおいても本体装置に迅速に目的の処理を行わせることができる。
【発明を実施するための最良の形態】
【０００８】
以下、本発明の実施の形態を添付図面を参照して説明する。
図１は、本発明に係るメニュー表示装置を備えたテレビジョン装置の一実施形態を示す外観図である。図２は、本発明に係るメニュー表示装置を備えたテレビジョン装置の一実施形態を示すブロック図である。本発明の装置本体は、本実施形態においてはテレビジョン装置であるが、これに限定されるわけではない。
【０００９】
テレビジョン装置１０は、アンテナ１１と、チューナ１２と、Ａ／Ｄ変換器１３と、デコーダ１４と、Ｄ／Ａ変換器（音声データ用）１５と、スピーカ１６と、セレクタ１７と、Ｄ／Ａ変換器（映像データ用）１８と、ディスプレイ１９と、制御部２１と、ＯＳＤコントローラ２２と、カードスロット部２３と、操作入力部２５とから構成される。制御部２１は、ＣＰＵ２１ａと、メモリ２１ｂとからなる。カードスロット部２３には、カード式メモリを装着できる。カード式メモリには、アプリケーションソフトや画像データ等が格納されており、テレビジョン装置１０がそれらデータを読み出して処理を行う。
【００１０】
操作入力部２５は、選局キー２５（ａ）、音量調整部２５（ｂ）、メニューキー２５（ｃ）、方向指示キー２５（ｄ）、決定キー２５（ｅ）から構成される。テレビジョン装置１０の側面に設けられたジョグダイヤルが、音量調整部２５（ｂ）である。テレビジョン装置１０の上面には操作入力部２５の選局キー２５（ａ）、メニューキー２５（ｃ）と、方向指示キー２５（ｄ）と、決定キー２５（ｅ）とが配置されている。
【００１１】
本発明のメニュー表示装置は、制御部２１が制御手段、ディスプレイ１９が表示手段、メニューキー２５（ｃ）がメニュー表示指示手段、方向指示キー２５（ｄ）と決定キー２５（ｅ）が選択指示手段に該当する。
【００１２】
次にテレビジョン装置１０の動作について説明する。
ユーザが操作入力部２５により操作を行うと、制御部２１のメモリ２１ｂに一旦、操作指示情報が格納される。ＣＰＵ２１ａは、メモリ２１ｂに格納されている指示情報に従って処理を行う。まず、ユーザがチャンネル選択を行うと、ＣＰＵ２１は、チューナ１２を制御し、アンテナ１１で受信した信号から目的のチャンネルを選局する。得られた信号をＡ／Ｄ変換器１３でアナログからデジタルへ変換し、デコーダ１４により復号する。復号化された音声信号は、Ｄ／Ａ変換器１５によりアナログ信号に変換されてスピーカ１６から音声として出力される。復号化された映像信号は、Ｄ／Ａ変換器１６によりアナログ信号に変換されてディスプレイ１９に表示される。
【００１３】
制御部２１は、操作入力部２５から指示された内容により、メモリ２１ｂに格納されているデータのうち、複数階層で構成されたメニュー項目を選択し、ＯＳＤコントローラ２２によりディスプレイ１９に重ね表示させるデータを発生させ、セレクタ１７によりディスプレイ１９に送出する。
【００１４】
本実施系形態のテレビジョン装置１０は、通常はテレビ放送を表示する通常動作モードと、カードスロット部２３にカード式メモリを装着して、それに格納されている画像を再生するカード再生モードがある。
【００１５】
各モードにおけるメニュー表示動作について説明する。
図３は、各モードにおけるメニュー表示の動作手順を示すフローチャートである。図４と図５は、カードに記録された放送番組を再生する際の操作におけるメニュー表示を示す説明図である。
【００１６】
制御部２１は、ユーザによってメニューキー２５（ｃ）が押されたかを確認し（ステップＳ１）、押された場合は、動作モードがカード再生モードか否かを確認する（ステップＳ２）。カード再生モードであれば、ＯＳＤコントローラ２２に図４に示す機能メニュー５１を表示させる（ステップＳ３）。通常メニューへ戻る項目が選択されたかを確認し（ステップＳ４）、選択されていなければ、それで処理を終了する。
【００１７】
ステップＳ２で動作モードがカード再生モードではない（通常のテレビ番組の放送を表示する通常動作モードの）場合、あるいはステップＳ４において通常メニューへ戻る項目が選択された場合は、制御部２１は通常動作モードの図４に示すメニュー５３を表示させる。制御部２１は、メニューに表示されている処理項目が選択されれば、その処理内容に従って、テレビジョン装置１０にその処理を実行させる。
【００１８】
ここで、メニューは複数階層で構成され、メニュー内の項目の選択により、上位層あるいは下位層のメニューに遷移していく。このメニューの階層の一部が図４に示されている。通常、テレビジョン装置１０は、放送番組を表示しているので、これを通常動作モードとして、メニュー５３が表示される。このメニューが最上位層のメニューである。ここから様々の処理のメニューを表示させ、その項目を操作入力部２５のキーを用いてユーザが選択することによって、メニューを表示させたり、処理を制御部２１に実行させたりする。メニューに表示されている項目には、さらに下位層のメニューへ誘導する項目と、処理を実行させる内容を提示する項目と、上位層のメニューに戻る項目（図では「戻る」が該当）などが表示されている。そして、「決定」を選択することによって選択が確定する。
【００１９】
上述のように、テレビジョン装置１０は、テレビ放送を表示する通常動作モードと、カードスロット部２３に装着したカードメモリに記録されている映像を再生するカード再生モードの２つの動作モードがある。カード再生モードにおいてカード再生を行う場合のメニュー表示について説明する。メインメニュー５３から始める場合と、専用メニュー５１から始める場合がある。
【００２０】
通常動作モード場合、メニューキー２５（ｃ）を押下すると、最上位層のメインメニュー５３が表示される。項目「カード機能」を選択すると、コンテンツを再生するモードを示す下位層メニュー５４が表示される。項目「放送記録再生モード」を選択すると、どのコンテンツを再生するかを示す下位層のメニュー５５が表示される。項目「放送記録再生設定」を選択すると、どのような条件で再生するかを選択するかを示すメニュー５６を表示する。項目「保護／消去」を選択すると、どのようなリピート再生（しない／１タイトルのみ／全タイトル）を行うかを選択するかを示すメニュー５７が表示される。項目「１タイトルのみ」を選択すると、カードメモリに格納されているタイトルを表示するメニュー５２が表示される。
【００２１】
このようにメインメニュー５３から目的の処理のメニュー５２に至るには、何層も下位層のメニューまでおりて行かなけれならない。これでは、ユーザの操作量が多く、使い勝手が悪い。
【００２２】
そこで、上記のように、カード再生モードのときは、図３に示したように、制御部２１は、テレビジョン装置１０がカード再生モードであることを確認したときは、その処理に関する必要な機能を示す専用メニュー５１を表示させる。そこで、ユーザが例えば項目「再生」を選択すると、下位層のメニュー５２を直ちに表示させる。このため、メニュー５４，５５，５６，５７を表示させる必要がなく、操作が極めて簡略化され、使い勝手がよくなる。
【００２３】
本実施形態では、カード再生モードのときは、専用メニュー５１を表示させたが、下位層のメニューにカード再生に関するメニューがあれば、それを表示させてもよい。また、テレビジョン装置に限らず、動作モードに応じてメニューを下位層から選択表示させるものであれば、その装置に本発明を適用できる。
【図面の簡単な説明】
【００２４】
【図１】本発明に係るメニュー表示装置を備えたテレビジョン装置の一実施形態を示す外観図である。
【図２】本発明に係るメニュー表示装置を備えたテレビジョン装置の一実施形態を示すブロック図である。
【図３】各モードにおけるメニュー表示の動作手順を示すフローチャートである。
【図４】カードに記録された放送番組を再生する際の操作におけるメニュー表示を示す説明図である。
【図５】図４に続くカードに記録された放送番組を再生する際の操作におけるメニュー表示を示す説明図である。
【符号の説明】
【００２５】
１０  テレビジョン装置
１１  アンテナ
１２  チューナ
１３  Ａ／Ｄ変換器
１４  デコーダ
１５，１８  Ｄ／Ａ変換器
１６  スピーカ
１７  セレクタ
１９  ディスプレイ
２１  制御部
２１ａ  ＣＰＵ
２１ｂ  メモリ
２２  ＯＳＤコントローラ
２３  カードスロット部
２５  操作入力部
２５（ａ）  選局キー
２５（ｂ）  音量調整部
２５（ｃ）  メニューキー
２５（ｄ）  方向指示キー
２５（ｅ）  決定キー
【図１】
2006108931.tif 000003
【図２】
2006108931.tif 000004
【図３】
2006108931.tif 000005
【図４】
2006108931.tif 000006
【図５】
2006108931.tif 000007